(57)【要約】      （修正有）【課題】無線通信ネットワークにおいて、複数の登録およびフロー・ベースのモビリティを容易にするシステムおよび方法を提供する。【解決手段】ネットワーク・アクセス・エントリ・ポイントのセットを介して１または複数のＩＰフローをルーティングする方式を決定するフロー・ルーティング構成要素が、モバイル・デバイス、ホーム・エージェント／ｐ−ゲートウェイ、または、ポリシーおよび課金ルール機能サーバに含まれうる。フロー・ルーティング構成要素は、例えば、サービス品質要件、帯域幅要件、ネットワーク密集、現在アクティブなＩＰフロー等のようなポリシーおよび／またはネットワーク・データのセットに基づいて、ルーティングを決定しうる。【選択図】図５
2014030221.tif 000002
【特許請求の範囲】
【請求項１】
通信ネットワークにおけるインターネット・プロトコル・フロー・ルーティングのための方法であって、
ネットワーク・データのセットを取得することと、
前記ネットワーク・データのセットに少なくとも部分的に基づいてインターネット・プロトコル・フローをルーティングするための少なくとも１つのポリシーを決定することと、
前記ネットワーク・データおよびポリシーに少なくとも部分的に基づいて、少なくとも１つのアクセス・ネットワークを介した少なくとも１つのインターネット・プロトコル・フローのためのルーティングを決定することと
を備える方法。
【請求項２】
前記ネットワーク・データのセットを取得することは、サービス品質要件、利用可能なラジオ・アクセス技術、帯域幅要件、アクティブなインターネット・プロトコル・フロー、アクティブなサービス品質ルール、ホーム・アドレス、あるいは気付アドレスのうちの少なくとも１つを取得することを含む請求項１に記載の方法。
【請求項３】
前記ネットワーク・データのセットを取得すること、前記ルーティングするためのポリシーを決定すること、および、前記ルーティングを決定することは、モバイル端末、ホーム・エージェント機能、または、ポリシーおよびルール課金機能サーバのうちの少なくとも１つを経由して達成される請求項１に記載の方法。
【請求項４】
前記ホーム・エージェントを経由したダウンリンク・ルーティング、または、前記モバイル端末を経由したアップリンク・ルーティングのうちの少なくとも１つを実施することをさらに備える請求項３に記載の方法。
【請求項５】
前記フローをルーティングすることを実施するために、フィルタのセットを用いて前記インターネット・プロトコル・フローをフィルタすることをさらに備える請求項４に記載の方法。
【請求項６】
１または複数のインターネット・プロトコル・フローのルーティングに少なくとも部分的に基づいて、少なくとも１つのアクセス・ゲートウェイのためのポリシーおよび課金ルールを決定することをさらに備える請求項１に記載の方法。
【請求項７】
ホーム・アドレスと、ホーム・アドレスおよび関連付けられた気付アドレスとのうちの少なくとも１つへ、少なくとも１つのインターネット・プロトコル・フローをバインディングすることをさらに備える請求項１に記載の方法。
【請求項８】
おのおののバインディングのためのバインディング識別子を生成することをさらに備える請求項７に記載の方法。
【請求項９】
おのおののインターネット・プロトコル・フローのためのフロー識別子を生成することをさらに備える請求項１に記載の方法。
【請求項１０】
１または複数のインターネット・プロトコル・フローのルーティング、または、フロー識別子のうちの少なくとも１つに基づいて、インターネット・プロトコル接続アクセス・ネットワーク・セッションを変更することをさらに備える請求項８に記載の方法。
【請求項１１】
通信ネットワークにおいて、インターネット・プロトコル・フローをルーティングするように構成された少なくとも１つのプロセッサであって、
ネットワーク・データのセットを取得する第１のモジュールであって、ここで、前記ネットワーク・データは、サービス品質要件、利用可能なラジオ・アクセス技術、帯域幅要件、アクティブなインターネット・プロトコル・フロー、アクティブなサービス品質ルール、ホーム・アドレス、または気付アドレスのうちの少なくとも１つを含む、第１のモジュールと、
前記ネットワーク・データに少なくとも部分的に基づいて、インターネット・プロトコル・フローのルーティングのための１または複数のポリシーを、セットから選択すること、または、動的に決定することのうちの少なくとも１つを行う第２のモジュールと、
モバイル・デバイス、ホーム・エージェント機能、または、ポリシーおよびルール課金機能サーバのうちの少なくとも１つを経由したインターネット・プロトコル・フローのルーティングのセットを決定する第３のモジュールと
を備える少なくとも１つのプロセッサ。
【請求項１２】
コンピュータ読取可能媒体を備えるコンピュータ・プログラム製品であって、
前記コンピュータ読取可能媒体は、
コンピュータに対して、ネットワーク・データのセットを取得させるための第１のコード・セットであって、ここで、前記ネットワーク・データは、サービス品質要件、利用可能なラジオ・アクセス技術、帯域幅要件、アクティブなインターネット・プロトコル・フロー、アクティブなサービス品質ルール、ホーム・アドレス、または気付アドレスのうちの少なくとも１つを含む、第１のコード・セットと、
前記コンピュータに対して、前記ネットワーク・データに少なくとも部分的に基づいて、インターネット・プロトコル・フローのルーティングのための１または複数のポリシーを、動的に決定すること、または、選択すること、のうちの少なくとも１つをさせるための第２のコード・セットと、
前記コンピュータに対して、モバイル・デバイス、ホーム・エージェント機能、または、ポリシーおよびルール課金機能サーバのうちの少なくとも１つを経由したインターネット・プロトコル・フローのルーティングのセットを決定させるための第３のコード・セットと
を備えるコンピュータ・プログラム製品。
【請求項１３】
装置であって、
ネットワーク・データのセットを収集する手段と、
前記ネットワーク・データに少なくとも部分的に基づいて、インターネット・プロトコル・フローのルーティングのための１または複数のポリシーを、セットから選択すること、または、動的に決定することのうちの少なくとも１つを行う手段と、
モバイル・デバイス、ホーム・エージェント機能、または、ポリシーおよびルール課金機能サーバのうちの少なくとも１つを経由したインターネット・プロトコル・フローのルーティングのセットを決定する手段と
を備える装置。
【請求項１４】
前記ネットワーク・データは、利用可能なサービス品質リソース、利用可能なラジオ・アクセス技術、帯域幅要件、アクティブなインターネット・プロトコル・フロー、アクティブなサービス品質ルール、ホーム・アドレス、または気付アドレスのうちの少なくとも１つを含む請求項１３に記載の装置。
【請求項１５】
モバイル・デバイスまたはホーム・エージェントのうちの少なくとも１つを経由した、前記決定されたルーティングのセットを実施する手段をさらに備える請求項１３に記載の装置。
【請求項１６】
ホーム・エージェント、モバイル・デバイス、または、ポリシーおよび課金ルール機能サーバのうちの少なくとも１つを含む請求項１３に記載の装置。
【請求項１７】
前記モバイル・デバイスを経由したアップリンク・フローのための前記ルーティングを実施するための、フィルタのセットを決定する手段をさらに備える請求項１６に記載の装置。
【請求項１８】
１または複数のインターネット・プロトコル・フローのルーティングに少なくとも部分的に基づいて、ポリシーおよび課金ルールのセットを定義し、前記ポリシーおよび課金ルールを、少なくとも１つのアクセス・ゲートウェイへ通信する手段をさらに備える請求項１３に記載の装置。
【請求項１９】
ホーム・アドレスと、ホーム・アドレスおよび関連付けられた気付アドレスとのうちの少なくとも１つへ、少なくとも１つのインターネット・プロトコル・フローをバインディングする手段をさらに備える請求項１３に記載の装置。
【請求項２０】
おのおののバインディングのためのバインディング識別子を生成する手段をさらに備える請求項１９に記載の装置。
【請求項２１】
おのおののインターネット・プロトコル・フローのためのフロー識別子を生成する手段をさらに備える請求項１３に記載の装置。
【請求項２２】
１または複数のフローのインターネット・プロトコル・ルーティング、または、フロー識別子のうちの少なくとも１つに基づいて、インターネット・プロトコル接続アクセス・ネットワーク・セッションを変更する手段をさらに備える請求項１３に記載の装置。
【請求項２３】
人工知能によって、前記装置の１または複数の機能を自動化する手段をさらに備える請求項１３に記載の装置。
【請求項２４】
装置であって、
ネットワーク・データのセットに基づいて、１または複数のアクセス・ネットワーク・エントリ・ポイントを経由した１または複数のインターネット・プロトコル・フローのためのルーティングを決定するフロー・ルーティング構成要素と、
ネットワーク・データのうちの１または複数の部分を取得する獲得構成要素と、
前記ネットワーク・データに少なくとも部分的に基づいて、インターネット・プロトコル・フローのルーティングのための１または複数のポリシーを、ポリシーのセットから選択すること、または、動的に決定することのうちの少なくとも１つを行うポリシー構成要素と
を備える装置。
【請求項２５】
前記ネットワーク・データのセットは、利用可能なサービス品質リソースのセットを含む請求項２４に記載の装置。
【請求項２６】
前記獲得構成要素またはポリシー構成要素のうちの少なくとも１つが、前記フロー・ルーティング構成要素に含まれる請求項２４に記載の装置。
【請求項２７】
前記フロー・ルーティング構成要素は、通信インフラストラクチャと通信するネットワーク・エンティティに含まれ、
前記ネットワーク・エンティティは、モバイル・デバイス、ホーム・エージェント／ｐ−ゲートウェイ、あるいは、ポリシーおよび課金ルール機能サーバのうちの少なくとも１つである請求項２４に記載の装置。
【請求項２８】
前記フロー・ルーティング構成要素がモバイル・デバイスに含まれる場合、フロー・ルーティングを実現するために適用されるフィルタのセットをさらに備える請求項２７に記載の装置。
【請求項２９】
前記フロー・ルーティング構成要素によって決定されたルーティングを、アップリンク通信のために実施するモバイル・デバイス、または、前記フロー・ルーティング構成要素によって決定されたルーティングを、ダウンリンク通信のために実施するホーム・エージェント、
のうちの少なくとも１つをさらに備える請求項２４に記載の装置。
【請求項３０】
前記ネットワーク・データは、サービス品質要件、利用可能なラジオ・アクセス技術、帯域幅要件、アクティブなインターネット・プロトコル・フロー、アクティブなサービス品質ルール、ホーム・アドレス、または気付アドレスのうちの少なくとも１つを含む請求項２４に記載の装置。
【請求項３１】
１または複数のインターネット・プロトコル・フローのルーティングに少なくとも部分的に基づいて、少なくとも１つのアクセス・ゲートウェイのためのポリシーおよび課金ルールを生成するポリシー課金およびルール機能サーバをさらに備える請求項２１に記載の装置。
【請求項３２】
ポリシー課金およびルール機能サーバへバインディング・アップデートを送信するモバイル・デバイスをさらに備え、
前記バインディング・アップデートは、少なくとも１つのインターネット・プロトコル・フローを、ホーム・アドレスと、ホーム・アドレスおよび関連付けられた気付アドレスとのうちの少なくとも１つに関連付ける請求項２４に記載の装置。
【請求項３３】
前記バインディング・アップデートは、おのおのの関連付けのためのバインディング識別子を含む請求項３２に記載の装置。
【請求項３４】
前記モバイル・デバイスは、おのおののインターネット・プロトコル・フローのためのフロー識別子を決定する請求項３２に記載の装置。
【請求項３５】
１または複数のフローのルーティング、あるいは前記フロー識別子のうちの少なくとも１つに基づいて、インターネット・プロトコル接続アクセス・ネットワーク・セッションを変更することをさらに備える請求項３２に記載の装置。
【発明の詳細な説明】
【優先権主張】
【０００１】
本特許出願は、本明細書において参照によって明確に組み込まれ、本願の譲受人に譲渡された２００８年６月９日出願の“ＭＥＴＨＯＤ  ＡＮＤ  ＡＰＰＡＲＡＴＵＳ  ＦＯＲ  ＰＣＣ  ＥＮＨＡＮＣＥＭＥＮＴ  ＦＯＲ  ＦＬＯＷＳ  ＢＡＳＥＤ  ＭＯＢＩＬＩＴＹ”と題された仮出願６１／０５９，９３５号への優先権を主張する。
【技術分野】
【０００２】
本開示は、一般に、無線通信に関し、さらに詳しくは、限定される訳ではないが、無線通信ネットワークにおける複数登録およびフロー・ベースのモビリティのためのさまざまな技術に関する。
【背景技術】
【０００３】
無線通信システムは、例えば、音声、データ等のようなさまざまなタイプのコンテンツを提供するために広く開発されてきた。これらのシステムは、（例えば、帯域幅、送信電力等のような）利用可能なシステム・リソースを共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、３ＧＰＰロング・ターム・イボリューション（ＬＴＥ）システム、および直交周波数分割多元接続（ＯＦＤＭＡ）システム等を含む。
【０００４】
通常、無線多元接続通信システムは、複数の無線端末のための通信を同時にサポートすることができる。端末はおのおのの、順方向リンクおよび逆方向リンクによる送信を介して１または複数の基地局と通信することができる。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力単一出力システム、あるいは複数入力複数出力（ＭＩＭＯ）システム等によって確立されうる。
【０００５】
ＭＩＭＯシステムは、データ送信に関し、複数（ＮＴ個）の送信アンテナと、複数（ＮＲ個）の受信アンテナとを使用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与える。
【０００６】
ＭＩＭＯシステムは、時分割デュプレクス（ＴＤＤ）システムおよび周波数分割デュプレクス（ＦＤＤ）システムをサポートする。ＴＤＤシステムでは、相互原理によって、逆方向リンク・チャネルから順方向リンク・チャネルを推定できるように、順方向リンク送信および逆方向リンク送信が、同じ周波数領域にある。これによって、アクセス・ポイントにおいて複数のアンテナが利用可能である場合、アクセス・ポイントは、順方向リンクで送信ビームフォーミング・ゲインを抽出できるようになる。
【発明の概要】
【０００７】
以下は、１または複数の態様の基本的な理解を与えるために、そのような態様の簡略化された概要を示す。この概要は、考えられるすべての態様の広範囲な概観ではなく、すべての態様の重要要素や決定的要素を特定することも、何れかまたは全ての態様のスコープを線引きすることも意図されていない。その唯一の目的は、後に示されるより詳細な記載に対する前置きとして、簡略化された形式で１または複数の態様のいくつかの概念を表すことである。
【０００８】
１または複数の態様および対応する開示によれば、フロー・ベースのモビリティのためのＰＣＣエンハンスメントに関連したさまざまな態様が記載される。関連する態様によれば、通信ネットワークにおけるインターネット・プロトコル・フロー・ルーティングのための方法が提供される。この方法は、ネットワーク・データのセットを取得することと、ネットワーク・データのセットに少なくとも部分的に基づいてインターネット・プロトコル・フローをルーティングするための少なくとも１つのポリシーを決定することと、ネットワーク・データおよびポリシーに少なくとも部分的に基づいて、少なくとも１つのアクセス・ネットワークを介した少なくとも１つのインターネット・プロトコル・フローのためのルーティングを決定することとを含む。
【０００９】
別の態様は、無線通信装置に関する。この無線通信装置は、第１のモジュールと、第２のモジュールと、第３のモジュールとを含み、通信ネットワークにおいて、インターネット・プロトコル・フローをルーティングするように構成された少なくとも１つのプロセッサを含む。第１のモジュールは、ネットワーク・データのセットを取得する。ここで、ネットワーク・データは、サービス品質要件、利用可能なラジオ・アクセス技術、帯域幅要件、アクティブなインターネット・プロトコル・フロー、アクティブなサービス品質ルール、ホーム・アドレス、あるいは気付アドレスのうちの少なくとも１つを含む。第２のモジュールは、ネットワーク・データに少なくとも部分的に基づいて、インターネット・プロトコル・フローのルーティングのための１または複数のポリシーを、セットから選択すること、または、動的に決定することのうちの少なくとも１つを行う。第３のモジュールは、モバイル・デバイス、ｐ−ゲートウェイ、あるいは、ポリシーおよびルール課金機能サーバのうちの少なくとも１つを経由したインターネット・プロトコル・フロー・ルートのセットを決定する。
【００１０】
別の態様は、コンピュータ読取可能媒体を有するコンピュータ・プログラム製品に関する。このコンピュータ読取可能媒体は、第１のコード・セットと、第２のコード・セットと、第３のコード・セットとを含む。第１のコード・セットは、コンピュータに対して、ネットワーク・データのセットを取得させる。ここで、ネットワーク・データは、サービス品質要件、利用可能なラジオ・アクセス技術、帯域幅要件、アクティブなインターネット・プロトコル・フロー、アクティブなサービス品質ルール、ホーム・アドレス、あるいは気付アドレスのうちの少なくとも１つを含む。第２のコード・セットは、コンピュータに対して、ネットワーク・データに少なくとも部分的に基づいて、インターネット・プロトコル・フローのルーティングのための１または複数のポリシーを、動的に決定すること、または、選択すること、のうちの少なくとも１つをさせる。第３のコード・セットは、コンピュータに対して、モバイル・デバイス、ｐ−ゲートウェイ、あるいは、ポリシーおよびルール課金機能サーバのうちの少なくとも１つを経由したインターネット・プロトコル・フロー・ルートのセットを決定させる。
【００１１】
また別の態様は、装置に関連する。この装置は、ネットワーク・データのセットを収集する手段と、ネットワーク・データに少なくとも部分的に基づいて、インターネット・プロトコル・フローのルーティングのための１または複数のポリシーを、セットから選択すること、または、動的に決定することのうちの少なくとも１つを行う手段と、モバイル・デバイス、ｐ−ゲートウェイ、あるいは、ポリシーおよびルール課金機能サーバのうちの少なくとも１つを経由したインターネット・プロトコル・フロー・ルートのセットを決定する手段とを含む。
【００１２】
さらに、さらなる態様は、装置に関する。この装置は、ネットワーク・データのセットに基づいて、１または複数のアクセス・ネットワーク・エントリ・ポイントを経由した１または複数のインターネット・プロトコル・フローのためのルートを決定するフロー・ルーティング構成要素と、ネットワーク・データのうちの１または複数の部分を取得する獲得構成要素と、ネットワーク・データに少なくとも部分的に基づいて、インターネット・プロトコル・フローのルーティングのための１または複数のポリシーを、ポリシーのセットから選択すること、または、動的に決定することのうちの少なくとも１つを行うポリシー構成要素とを含みうる。
【００１３】
前述した目的および関連する目的を達成するために、１または複数の実施形態は、後に十分に記載され、特許請求の範囲において特に指摘されている特徴を備える。次の記載および添付図面は、１または複数の態様のある例時的な特徴を詳細に記載する。しかしながら、これらの特徴は、さまざまな態様の原理が適用されるさまざまな方式のうちの極く一部しか示しておらず、本説明は、そのような態様およびそれらの均等物の全てを含むことが意図されている。
【図面の簡単な説明】
【００１４】
【図１】図１は、本明細書の態様にしたがう多元接続無線通信システムを例示する。
【図２】図２は、主題とする仕様の態様にしたがう通信システムの一般的なブロック図を図示する。
【図３】図３は、本明細書の態様にしたがう無線通信システムを例示する。
【図４】図４は、主題とする仕様にしたがうインターネット・プロトコル・フロー・ベースのモビリティを例示する図である。
【図５】図５は、主題とする仕様にしたがうインターネット・プロトコル・フロー・ベースのモビリティを例示する図である。
【図６】図６は、主題とする仕様にしたがうインターネット・プロトコル・フロー・ベースのモビリティを例示する図である。
【図７】図７は、主題とする仕様にしたがうインターネット・プロトコル・フロー・ベースのモビリティを例示する図である。
【図８】図８は、主題とする仕様の態様にしたがって、バインディング・アップデート／バインディング・アクノレッジメントにおけるフィルタを用いて、ＥＰＳに複数の気付アドレスを登録するための方法の例を示す。
【図９】図９は、主題とする仕様の態様にしたがって、ＰＣＲＦフロー・ルーティング・アプローチを用いて、ＥＰＳに複数の気付アドレスを登録する方法の例を示す。
【図１０】図１０は、主題とする仕様の態様にしたがって、ＨＡ／ＰＧＷフロー・ルーティング・アプローチを用いて、ＥＰＳに複数の気付アドレスを登録する方法の例を示す。
【図１１】図１１は、主題とする仕様の態様にしたがう複数の登録およびフロー・ベースのモビリティのためのシステムの例を示す。
【図１２】図１２は、主題とするイノベーションの態様にしたがうインターネット・プロトコル・フロー・ルーティング・システムのブロック図の例を示す。
【図１３】図１３は、本仕様にしたがう１または複数の機能を自動化することを容易にする人工知能構成要素を適用するシステムを例示する。
【図１４】図１４は、主題とする仕様にしたがって、無線通信ネットワークにおける複数の登録およびフロー・ベースのモビリティを容易にするシステムの例を示す。
【発明を実施するための形態】
【００１５】
さまざまな態様が、図面を参照して記載される。以下の記載では、説明の目的のために、１または複数の態様の完全な理解を提供するために、多くの具体的な詳細が述べられる。しかしながら、そのような態様は、これら具体的な詳細無しで実現されることが明らかである。
【００１６】
本願で使用されるように、用語「構成要素」、「モジュール」、「システム」等は、ハードウェア、ファームウェア、ハードウェアとソフトウェアとの組み合わせ、ソフトウェア、あるいは実行中のソフトウェアのうちの何れかであるコンピュータ関連エンティティを含むことが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、２つ以上のコンピュータに分散されうる。さらに、これらの構成要素は、さまざまなデータ構造を格納したさまざまなコンピュータ読取可能媒体から実行可能である。これら構成要素は、例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような１または複数のデータのパケットを有する信号にしたがって、ローカル処理および／またはリモート処理によって通信することができる。
【００１７】
さらに、本明細書では、さまざまな態様が、有線端末または無線端末でありうる端末と関連して開示される。端末は、システム、デバイス、加入者ユニット、加入者局、移動局、モバイル、モバイル・デバイス、遠隔局、遠隔端末、アクセス端末、ユーザ端末、端末、通信デバイス、ユーザ・エージェント、ユーザ・デバイス、またはユーザ機器（ＵＥ）とも称されうる。無線端末は、セルラ電話、衛星電話、コードレス電話、セッション初期化プロトコル（ＳＩＰ）電話、無線ローカル・ループ（ＷＬＬ）局、携帯情報端末（ＰＤＡ）、無線接続機能を有するハンドヘルド・デバイス、コンピューティング・デバイス、あるいは、無線モデムに接続されたその他の処理デバイスでありうる。さらに、本明細書では、さまざまな態様が、基地局に関して記載される。基地局は、無線端末と通信するために利用され、アクセス・ポイント、ノードＢ、あるいはその他いくつかの用語で称されうる。
【００１８】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する。あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００１９】
本明細書に記述された技術は、例えばＣＤＭＡ、ＴＤＭＡ、ＦＤＭＡ、ＯＦＤＭＡ、ＳＣ−ＦＤＭＡ、およびその他のシステムのようなさまざまな無線通信システムのために使用される。「システム」、「ネットワーク」という用語はしばしば置換可能に使用される。ＣＤＭＡネットワークは、例えば、ユニバーサル地上ラジオ・アクセス（ＵＴＲＡ）、ｃｄｍａ２０００等のようなラジオ技術を実施することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現しうる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳのリリースである。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からのドキュメントに記述されている。さらに、ｃｄｍａ２０００およびＵＭＢは、「第３世代パートナシップ計画プロジェクト２」（３ＧＰＰ２）と命名された組織からのドキュメントに記述されている。さらに、そのような無線通信システムは、しばしばアンペア（ｕｎｐａｉｒｅｄ）な無許可のスペクトルを用いるピア・トゥ・ピア（例えば、モバイル・トゥ・モバイル）アド・ホック・ネットワーク・システム、８０２ｘｘ無線ＬＡＮ、Ｂｌｕｅｔｏｏｔｈ（登録商標）、および、その他任意の短距離または長距離の無線通信技術を含みうる。
【００２０】
さまざまな態様または特徴が、多くのデバイス、構成要素、モジュールなどを含むシステムの観点から示されるだろう。さまざまなシステムが、追加のデバイス、構成要素、モジュールなどを含むことができるか、および／または、図面に関連して説明されたデバイス、構成要素、モジュールなどの必ずしも全てを含んでいる訳ではないことが理解され、認識されるべきである。これらアプローチの組み合わせもまた使用されうる。
【００２１】
図１に示すように、本明細書に示されたさまざまな実施形態にしたがう無線通信システム１００が例示されている。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２つのアンテナしか例示されていないが、２本より多いアンテナ、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナなど）を備えうる。
【００２２】
基地局１０２は、例えばモバイル・デバイス１１６およびモバイル・デバイス１２２のような１または複数のモバイル・デバイスと通信しうる。しかしながら、基地局１０２は、モバイル・デバイス１１６およびモバイル・デバイス１２２に類似した実質的に任意の数のモバイル・デバイスと通信しうることが理解されるべきである。モバイル・デバイス１１６、１２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１００を介して通信するのに適切なその他任意のデバイスでありうる。図示するように、モバイル・デバイス１１６は、アンテナ１１２およびアンテナ１１４と通信している。ここで、アンテナ１１２およびアンテナ１１４は、順方向リンク１１８によってアクセス端末１１６へ情報を送信し、逆方向リンク１２０によってアクセス端末１１６から情報を受信する。さらに、モバイル・デバイス１２２はアンテナ１０４およびアンテナ１０６と通信している。ここで、アンテナ１０４およびアンテナ１０６は、順方向リンク１２４でアクセス端末１２２へ情報を送信し、逆方向リンク１２６でアクセス端末１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００２３】
通信するように指定された領域および／またはアンテナのおのおののグループは、基地局１０２のセクタと称されうる。例えば、基地局１０２によってカバーされる領域のセクタ内のアクセス端末に通信するように、複数のアンテナが設計されうる。順方向リンク１１８、１２４による通信では、基地局１０２の送信アンテナは、モバイル・デバイス１１６、１２２の順方向リンク１１８、１２４の信号対雑音比を向上するために、ビーム・フォーミングを利用しうる。例えば、これは、所望の方向に信号を発信するために、プリコーダを用いることによって提供されうる。また、基地局１０２が、関連付けられた有効通信範囲にランダムに散在したモバイル・デバイス１１６、１２２に送信するためにビーム・フォーミングを利用している間、近隣セル内のモバイル・デバイスは、すべてのモバイル・デバイスに対して単一のアンテナによって送信している基地局に比べて、少ない干渉しか被らない。さらに、モバイル・デバイス１１６およびモバイル・デバイス１２２は、一例として、ピア・ツー・ビアまたはアド・ホック技術を使用して、互いにダイレクトに通信しうる。
【００２４】
図２は、ＭＩＭＯシステム２００における（アクセス・ポイントとしても知られている）送信機システム２１０および（アクセス端末としても知られている）受信機システム２５０のブロック図である。送信機システム２１０では、多くのデータ・ストリームのトラフィック・データが、データ・ソース２１２から送信機（ＴＸ）データ・プロセッサ２１４に提供される。
【００２５】
実施形態では、おのおののデータ・ストリームは、それぞれの送信アンテナを通して送信される。ＴＸデータ・プロセッサ２１４は、おのおののデータ・ストリームのトラフィック・データ・ストリームをフォーマットし、このデータ・ストリームのために選択された特定の符合化スキームに基づいて符号化し、インタリーブして、符合化されたデータを提供する。
【００２６】
おのおののデータ・ストリームの符合化されたデータは、ＯＦＤＭ技術を用いてパイロット・データと多重化されうる。パイロット・データは一般に、既知の方法で処理される既知のデータ・パターンであり、チャネル応答を推定するために受信機システムにおいて使用されうる。おのおののデータ・ストリームについて多重化されたパイロットおよび符合化されたデータは、データ・ストリームのために選択された特定の変調スキーム（例えば、ＢＰＳＫ、ＱＰＳＫ、Ｍ−ＰＳＫ、あるいはＭ−ＱＡＭ等）に基づいて変調（例えば、シンボル・マップ）され、変調シンボルが提供される。おのおののデータ・ストリームのデータ・レート、符号化、および変調は、プロセッサ２３０によって実行される命令群によって決定されうる。
【００２７】
すべてのデータ・ストリームの変調シンボルは、（例えば、ＯＦＤＭのために）変調シンボルを処理するＴＸ  ＭＩＭＯプロセッサ２２０に提供される。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。ある実施形態では、ＴＸ  ＭＩＭＯプロセッサ２２０は、データ・ストリームのシンボル、および、データ・シンボルが送信されるアンテナに、ビーム・フォーミング重みを適用する。
【００２８】
おのおのの送信機２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機２２２ａ乃至２２２ｔからのＮＴ個の変調信号は、ＮＴ個のアンテナ２２４ａ乃至２２４ｔそれぞれから送信される。
【００２９】
受信機システム２５０では、送信された変調信号がＮＲ個のアンテナ２５２ａ乃至２５２ｒによって受信され、おのおののアンテナ２５２からの受信信号が、それぞれの受信機（ＲＣＶＲ）２５４ａ乃至２５４ｒへ提供される。おのおのの受信機２５４は、それぞれの受信信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００３０】
ＲＸデータ・プロセッサ２６０は、ＮＲ個の受信機２５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ２６０は、その後、検出されたおのおののシンボル・ストリームを復調し、デインタリーブし、復号して、そのデータ・ストリームのためのトラフィック・データを復元する。ＲＸデータ・プロセッサ２６０による処理は、送信機システム２１０におけるＴＸ  ＭＩＭＯプロセッサ２２０およびＴＸデータ・プロセッサ２１４によって実行されるものと相補的である。
【００３１】
プロセッサ２７０は、上述したように、どの事前符合化行列を使用するのかを定期的に決定する。さらに、プロセッサ２７０は、行列インデクス部およびランク値部を備えた逆方向リンク・メッセージを規定することができる。
【００３２】
逆方向リンク・メッセージは、通信リンクおよび／または受信されたデータ・ストリームに関するさまざまなタイプの情報を備えうる。逆方向リンク・メッセージは、多くのデータ・ストリームのトラフィック・データをデータ・ソース２３６から受け取るＴＸデータ・プロセッサ２３８によって処理され、変調器２８０によって変調され、送信機２５４ａ乃至２５４ｒによって調整され、基地局２１０へ送り戻される。
【００３３】
送信機システム２１０では、受信機システム２５０からの変調信号が、アンテナ２２４によって受信され、受信機２２２によって調整され、復調器２４０によって復調され、ＲＸデータ・プロセッサ２４２によって処理されて、受信機システム２５０によって送信された逆方向リンク・メッセージを抽出する。プロセッサ２３０は、ビーム・フォーミング重みを決定するために、どの事前符号化行列を使用するかを決定し、その後、抽出されたメッセージを処理しうる。
【００３４】
図３は、多くのユーザをサポートするように構成された無線通信システム３００を例示する。ここでは、開示されたさまざまな実施形態および態様が実現される。図３に示すように、一例として、システム３００は、例えばマクロ・セル３０２ａ−３０２ｇのような複数のセル３０２のために通信を提供する。ここで、おのおののセルは、（例えば、ＡＰ３０４ａ−３０４ｇのような）対応するアクセス・ポイント（ＡＰ）３０４によってサービス提供される。おのおののセルはさらに、（例えば、１または複数の周波数をサービス提供するために、）１または複数のセクタへ分割されうる。ユーザ機器（ＵＥ）あるいは移動局としても置換可能に知られており、ＡＴ３０６ａ−３０６ｋを含むさまざまなアクセス端末（ＡＴ）３０６が、システム全体にわたって分布している。おのおののＡＴ３０６は、例えば、ＡＴがアクティブであるか、ＡＴがソフト・ハンドオフであるかに依存して、所与の瞬間において。１または複数のＡＰ３０４と、順方向リンク（ＦＬ）および／または逆方向リンク（ＲＬ）で通信することができる。無線通信システム３００は、大きな地理的領域にわたってサービスを提供することができ、例えば、マクロ・セル３０２ａ−３０２ｇは、近隣の数ブロックをカバーしうる。
【００３５】
それに加えて、ＡＴ３０６は、複数のラジオ技術をサポートし、１または複数のラジオ技術に同時に接続することができる。例えば、ＡＴ３０６ｆは、（既に説明したような）ＬＴＥや、無線ローカル・エリア・ネットワーク（ＷＬＡＮ）のようなモバイル通信ネットワークによる通信をサポートしうる。ＡＴ３０６ｆは、ＡＰ３０４ｆを経由したモバイル無線通信ネットワークへの接続と、ＷＬＡＮアクセス・ポイント３０８ａを経由したＷＬＡＮへの接続とを同時に行いうる。ＡＴ３０６ｆが複数のネットワークに同時に接続されている場合、おのおののネットワークは、個別のＩＰフローのために使用される。例えば、ＡＴ３０６ｆとＡＰ３０４ｆとの間の接続は、音声通信のために使用される一方、ＷＬＡＮ３０８ａへの接続は、ファイル・ダウンロードのために使用されうる。以下に記述されるイノベーションは、複数のアクセス・ネットワークを経由して複数のＩＰフローをルーティングするための複数のメカニズムを詳述する。上記は、１つの例しか示していないが、複数のネットワーク・タイプが可能であることが認識されるべきである。
【００３６】
図４に移って、インターネット・プロトコル・フロー・ベースのモビリティを示す図解の例が、主題とするイノベーションの態様にしたがって示されている。ここでは、ＵＥ４０２を含む無線通信システム４００が図示されている。ＵＥ４０２は、限定される訳ではないが、セルラ電話、スマート・フォン、ラップトップ、ハンドヘルド通信デバイス、ハンドヘルド・コンピューティング・デバイス、衛星ラジオ、全地球測位システム、ＰＤＡなどを含み、無線通信システムによる通信のための最も適切ないずれかのデバイスでありうる。多くの無線規格体系はいま、インターネット・プロトコル（ＩＰ）フローのようなデータ交換を考慮している。ここで、インターネット・プロトコルは、ネットワーク・ノード間でデータを転送するために使用される。本質的に、ＩＰフローは、ネットワーク・ノード間で送信される一連のＩＰパケットから成る。一般に、１つのフローは、共通のＩＰヘッダによって識別され、例えば、フローが同じアドレスまたは宛先に向かう場合、フローは、１つのＩＰフローとして分類されうる。
【００３７】
例示に戻って、無線通信システム４００はさらに、サービス提供エリア４０６を有する第１のアクセス・ネットワーク４０４と、サービス提供エリア４１０を有する第２のアクセス・ネットワーク４０８とを含む。例えば、第１アクセス・ネットワーク４０４は、ＬＴＥネットワークであり、第２のアクセス・ネットワーク４０８は、ＷＬＡＮでありうる。ＵＥ４０２は、第１のＩＰフロー４１２および第２のＩＰフロー４１４を有しているものとして図示されている。ＵＥ４０２は、第１のアクセス・ネットワーク４０４のサービス提供エリア４０６に位置しているので、現在、ＩＰフロー４１２とＩＰフロー４１４との両方が、第１のアクセス・ネットワーク４０４を介してルーティングされている。言い換えれば、ＵＥ４０２の物理的位置に基づいて、第１のアクセス・ネットワーク４０４は、現在、ＵＥ４０２による利用が可能な唯一のネットワークである。アクセス・ネットワーク４０４、４０８は、Ｐ−ゲートウェイ（ＰＧＷ）としても知られているホーム・エージェント（ＨＡ）４１６に対してＩＰフローを通信する。ＨＡ／ＰＧＷ４１６は、ＵＥ４０２が他のネットワーク、デバイス、および／または、ネットワーク上の実質的に任意のポイントと通信できるようにするネットワーク・エントリ・ポイントである。
【００３８】
それに加えて、ＨＡ４１６は、一般には、ホーム・アドレス（ＨｏＡ）を、接続されたＵＥに割り当てることを担当する。ＵＥは、その後、ＨｏＡによって認識され、他のデバイスまたはネットワーク・エンティティがＵＥとの通信を試みると、特定のＵＥに割り当てられたＨｏＡへパケットを送信するだろう。しかしながら、ＵＥが、別のアクセス・ネットワークに接続している場合、（例えば、アクセス・ネットワーク４０４またはアクセス・ネットワーク４０８のような）アクセス・ネットワークから、気付アドレス（ＣｏＡ）（例えば、ローカルＩＰアドレス）が割り当てられる。ＵＥは、各ＣｏＡをＨＡ４１６へ登録することを試みるだろう。複数のＣｏＡをＨＡ４１６に登録するためのメカニズムおよび技術が、以下により詳細に説明される。
【００３９】
許可、認証および課金（ＡＡＡ）サーバ４１８は、例えば、ユーザ識別情報のような信用証明のセットに基づいて、ＵＥ４０２を許可する。さらに、ポリシーおよび課金ルール機能（ＰＣＲＦ）サーバ４２０との通信セッションが確立される。ここで、ＰＣＲＦ４２０は、ＵＥ４０２との接続を管理する。例えば、ＰＣＲＦ４２０は、利用される課金のタイプ、サービス品質（ＱｏＳ）などを規定しうる。
【００４０】
図５を参照して、図４の無線通信システムの２回目の例示がなされている。ここでは、ＵＥ４０２が移動し、場所を移動しているか、あるいは再配置されている。例えば、ＵＥ４０２はモバイル電話であり、ユーザは、このモバイル電話を利用（例えば、通話や、コンテンツのダウンロード等）しながら、移動（例えば、通行、運転等）している。例示されるように、ＵＥ４０２は、第１のアクセス・ネットワーク４０４のサービス提供エリア４０６と、第２のアクセス・ネットワーク４０８のサービス提供エリア４０８とのオーバラップ領域に位置する。その結果、アクセス・ネットワーク４０４とアクセス・ネットワーク４０８との両方が、ＵＥ４０２によって使用されることが可能であり、既に説明したように、ＵＥ４０２が複数のラジオ技術をサポートしているのであれば、ＵＥ４０２は、アクセス・ネットワーク４０４とアクセス・ネットワーク４０８との両方に同時に接続することができる。
【００４１】
（既に説明したように）第２のアクセス・ネットワーク４０８との通信が確立された後、１または複数のＩＰフロー（例えば４１２または４１４）は、第２のアクセス・ネットワーク４０８を経由してルーティングされうる。ＩＰフロー４１２およびＩＰフロー４１４のルーティングは、複数の基準に基づきうる。例えば、第１のアクセス・ネットワーク４０４がＬＴＥであり、第２のアクセス・ネットワーク４０８がＷＬＡＮである以前の例に戻ると、ＩＰフローのルーティングは、ＩＰフロー４１２およびＩＰフロー４１４のために要求／所望されたリソース（例えば、ＱｏＳ）に基づきうる。第１のＩＰフロー４１２が音声通信セッションである場合、所望されるＱｏＳパフォーマンスのために、ＬＴＥネットワーク（例えば、アクセス・ネットワーク４０４）を経由してルーティングすることが望ましい。さらに、第２のＩＰフロー４１４がデータ・ダウンロードである場合、ＷＬＡＮ（例えば、第２のアクセス・ネットワーク４０８）を経由して第２のフロー４１４をルーティングすることが望ましい。なぜなら、ＷＬＡＮは一般に、ＬＴＥネットワークよりも広い帯域幅を有しており、データ・ダウンロードは、音声通信と同じＱｏＳ要件を持たないことがあるからである。以下に説明するように、ルーティング決定は、限定される訳ではないが、ＵＥ４０２、ＨＡ／ＰＧＷ４１６、あるいはＰＣＲＦ４２０を含む複数のネットワーク・エンティティによってなされうる。
【００４２】
図６は、主題とするイノベーションの態様にしたがう図４および図５の無線通信システム６００の３回目の例を示す。既に説明したように、ＵＥ４０２は、第１のアクセス・ネットワーク４０４のサービス提供エリア４０６と、第２のアクセス・ネットワーク４０８のサービス提供エリア４１０とのオーバラップ領域に位置するように図示されている。ＵＥ４０２は、複数のラジオ技術をサポートしているので、その結果、アクセス・ネットワーク４０４とアクセス・ネットワーク４０８との両方を経由することにより、複数のＩＰフローを同時にルーティングしうる。ＵＥ４０２は、２つのＩＰフローに限定される訳ではないが、例えば、需要、サービスなどに基づいてＩＰフローを追加または削除しうることが認識されるべきである。
【００４３】
例えば、前の例に戻ると、ＵＥ４０２は、第３のＩＰフロー６０２を追加し、このＩＰフロー６０２は、１または複数の基準に基づいて、アクセス・ネットワーク４０４またはアクセス・ネットワーク４０８の何れか一方を介してルーティングされうる。例えば、ＩＰフロー６０２が、大量のトラフィックからなる場合、第２のアクセス・ネットワーク４０８を介してルーティングすることが望ましい。ここで、第２のアクセス・ネットワーク４０８は、（既に説明したように）ＷＬＡＮである。図６に示すように、ＩＰフロー４１４とＩＰフロー６０２との両方が、第２のアクセス・ネットワーク４０８を介してルーティングされうる。
【００４４】
図７に移って、主題とするイノベーションの態様にしたがう図４乃至図６の無線通信システム７００の４回目の例を示す。この４回目の例では、ＵＥ４０２は、オーバラップ領域から出て、第１のアクセス・ネットワーク４０４のサービス提供エリア４０６に戻っている。その結果、第２のアクセス・ネットワーク４０８は、ＵＥ４０２に対してもはや利用可能ではない。したがって、ＵＥ４０２に関連付けられたＩＰフロー４１２、４１４、６０２はおのおのの、第１のアクセス・ネットワーク４０４を経由してルーティングされる。
【００４５】
ＩＰフローのルーティングをし直すことは、アクセス間のハンドオーバによって達成されうる。一般に、ハンドオーバは、ＵＥが、使用可能な最良の信号を利用できるように達成される。しかしながら、本イノベーションは、ＵＥが、最も適したアクセスにＩＰフローをマッチさせるために、ハンドオーバを有効にするためのメカニズムおよび技術を提供する。既に説明したように、ＩＰフローは、限定される訳ではないが、ＱｏＳ要件、帯域幅要件などを含む複数の基準に基づいて、あるアクセスから別のアクセスへと移動されうる。前の例では、ＩＰフロー４１４およびＩＰフロー６０２は、アクセス・ネットワークの利用可能性に基づいて、第２のアクセス・ネットワーク４０８から第１のアクセス・ネットワーク４０４へ転送される。前述した図面は、説明の簡潔化および明確化のために例示されており、主題とするイノベーションの範囲および精神内で、複数の実施形態が可能であることが認識されるべきである。
【００４６】
既に説明されたシステムの例を考慮すると、開示された主題にしたがって実現されうる方法は、図８乃至図１０のコール・フロー図を参照してより良く理解されるだろう。説明を単純にするために、これら方法は、一連のステップとして図示および説明されているが、いくつかのステップは、本明細書に図示および記載するものとは異なる順序で、および／または、同時になされうるので、権利主張される主題は、これらステップの順序によって限定されないことが理解および認識されるべきである。さらに、以下に示す方法を実現するために、例示されたすべてのステップが、必ずしも必要とされる訳ではない。
【００４７】
図８は、主題とするイノベーションの態様にしたがって、バインディング・アップデート／バインディング・アクノレッジメントにおけるフィルタを用いて、ＥＰＳに複数の気付アドレスを登録するための方法の例を示す。８０２では、ＵＥは、第１のアクセス・ゲートウェイ（ＡＧＷ  １）に、結合、接続、もしくは関連付けられている。ＡＧＷ１は、ＵＥが第１のアクセス・ネットワーク（ＮＷ１）と通信できるようにする。そして、ＵＥは、例えばネットワーク・アサート・アイデンティティのような１または複数の信用証明に基づいて、許可、認証、および課金（ＡＡＡ）サーバによって、ＡＧＷ１に接続することを許可される。８０４では、ＡＧＷ１は、ポリシーおよび課金ルール機能（ＰＣＲＦ）サーバとのセッションを確立する。このセッションは、ＵＥのＡＧＷ１への接続を管理することが必要である場合、ＰＣＲＦによってデータを転送するために使用されうる。
【００４８】
８０６では、ネットワーク・エントリ・ポイントから、ホーム・アドレス（ＨｏＡ）が割り当てられる。ここで、ネットワーク・エントリ・ポイントは、ホーム・エージェント（ＨＡ）またはＰ−ゲートウェイ（ＰＧＷ）である。さらに、ＨＡ／ＰＧＷは、ＵＥがＡＡＡサーバと通信するために、複数の気付アドレス（ＣｏＡ）を使用することを許可する。８０８では、ＵＥが、ＨＡ／ＰＧＷにバインディング・アップデート（ＢＵ）を送り、ＨＡ／ＰＧＷに対して、８０６において割り当てられたＨｏＡを、８０２において割り当てられたインターネット・プロトコル・アドレス番号１（ＩＰ１）にバインドするように通知する。さらに、あるいは、その代わりに、ＵＥは、このバインドを第１のバインドとして識別するためのバインディング識別番号（例えばＢＩＤ１）をも含みうる。８１０において、ＨＡは、ＰＣＲＦとのインターネット・プロトコル接続アクセス・ネットワーク（ＩＰ−ＣＡＮ）セッションを確立する。ＩＰ−ＣＡＮセッションを確立することは、ＨＡが、ＩＰ−ＣＡＮセッションの制御のために、ＰＣＲＦとのセッションを確立するという点においてステップ８０４と類似している。ＩＰ−ＣＡＮセッションは、許可されるべきサービスや要求のタイプ等に関する判定をＰＣＲＦが行うためのすべての情報を提供する。
【００４９】
８１２において、ＰＣＲＦは、ＩＰ−ＣＡＮセッションのアクノレッジメントと、ポリシーおよび課金ルール（ＰＣＣ）とをＨＡへ送信する。例えば、ＰＣＣは、サービスのセットのために使用される課金や、配信されるサービス品質（ＱｏＳ）のタイプなどを定義しうる。８１４では、ＨＡ／ＰＧＷが、ステップ８０８のＢＵに対するバインディング・アクノレッジメント（ＢＡ）をＵＥへ送信する。８１６では、ＡＧＷ１とＰＣＲＦとの間で確立されたゲートウェイ・セッションを用いて、また、以前に提供されたＰＣＣルールに基づいて、ＰＣＲＦが、ＡＧＷ１へとＱｏＳルールのセットを提供する。８１８では、ＡＧＷ１が、８１６で取得されたＱｏＳルールに対するアクノレッジメントをＰＣＲＦへ送信する。
【００５０】
８２０では、ＵＥが、第２のアクセス・ゲートウェイ（ＡＧＷ２）に関連付けられる。このＡＧＷ２によって、ＵＥは、第２のアクセス・ネットワーク（ＮＷ２）と通信できるようなる。さらに、ＵＥは、例えばＮＡＩのような信用証明のセットに基づいて、ＡＡＡサーバによって、ＡＧＷ２への接続が許可される。８２２では、ＡＧＷ２が、ＰＣＲＦサーバとのセッションを確立する。このセッションは、ＵＥのＡＧＷ２への接続を管理する必要がある場合、ＰＣＲＦによるデータ転送のために使用されうる。８２４では、複数のＩＰフロー（例えば、ＩＰ１およびＩＰ２）が存在するので、ＵＥは、ＨＡ／ＰＧＷへＢＵを送信することによって、ネットワークに対して、どのフローがどのアクセス・ネットワーク（例えば、ＡＧＷ１またはＡＧＷ２）を介してルーティングされているのかを知らせる。さらに、あるいは、その代わりに、ＢＵは、送信を特定のフローに属するものとして識別するフロー識別子番号（例えば、ＦＩＤ１またはＦＩＤ２）を含むことができる。言い換えれば、ＵＥは、第２のＣｏＡとして登録しているＩＰ２にＢＵを送信し、ＩＰ１およびＩＰ２のためのフィルタを提供することによって、フロー・ルーティングを決定する。
【００５１】
８２６では、ＨＡ／ＰＧＷが、ＩＰ−ＣＡＮセッション変更情報をＰＣＲＦへ提供し、ＰＣＲＦに対して、どのフロー（例えば、ＩＰ１またはＩＰ２）がどのＩＰアドレスを用いているのかを通知する。ＨＡ／ＰＧＷは、８２４からのフィルタを、ＰＣＲＦへ提供する。ここで、フィルタは、フローがどのようにルーティングされるかを決定する。８２８では、ＰＣＲＦが、ＰＣＣルールのセットとともにアクノレッジメント（ＡＣＫ）をＨＡ／ＰＧＷへ送信する。８３０では、８２４におけるＢＵに応答して、ＵＥへＢＡを送信する。８３２では、ＰＣＲＦが、ＩＰ２に関連するトンネル情報およびＱｏＳをＡＧＷ２へ送信する。なぜなら、実質的にすべてのＩＰパケットが、ＵＥとＨＡ／ＰＧＷとの間でトンネルされるからである。８３４では、ＨＡ／ＰＧＷが、８３２で取得された情報に対するＡＣＫをＰＣＲＦへ送信する。同様に、８３６では、ＰＣＲＦが、ＩＰ１に関連するトンネル情報およびＱｏＳをＡＧＷ１へ送信し、８３８では、ＡＧＷ１が、８３６で取得された情報に対するＡＣＫをＰＣＲＦへ送信する。
【００５２】
図９は、主題とするイノベーションの態様にしたがうＰＣＲＦフロー・ルーティング・アプローチを用いて、ＥＰＳに複数の気付アドレスを登録する方法の例を示す。９０２では、ＵＥは既にＡＧＷ１に接続されており、（前述したように）ゲートウェイ制御セッションが確立されており、第１のＩＰフロー（ＩＰ１）が、ＵＥのＨｏＡに関連付けられている。９０４では、ＵＥは、第２のＩＰフロー（ＩＰ２）のためにＡＧＷ２に接続しており、ＵＥがＡＡＡサーバによってベリファイされる。９０６では、ゲートウェイ制御セッションが、ＡＧＷ２とＰＣＲＦとの間で確立される。９０８では、ＵＥが、ＨＡへＢＵを送信し、ＨＡに対して、ＨｏＡをＩＰ２に関連付けるように指示する。さらに、このバインディングを、（例えばＢＩＤ２のような）第２のバインディングとして識別するＩＢＤが指定される。９１０では、ＨＡが、（既に説明したように）ＰＣＲＦへとＩＰ−ＣＡＮセッション変更を送信する。
【００５３】
９１２では、ＰＣＲＦが、（例えばＡＧＷ１またはＡＧＷ２を経由した）アクセス・ネットワークを介したＩＰフローのルーティングを決定する。ＰＣＲＦは、すべてのアクティブ・フローおよび関連するアクティブＱｏＳルールを知っているので、ルーティング決定に適している。さらに、ＰＣＲＦは、おのおののＣｏＡに関連するＨｏＡ、ＣｏＡ、およびＲＡＴを知っている。９１４では、ＰＣＲＦは、各ＩＰフローのためのルーティング情報およびＰＣＣルールのセットを含む９１０におけるＩＰ−ＣＡＮセッション変更に対するＡｃｋをＨＡ／ＰＧＷへ送信する。９１６では、ＨＡ／ＰＧＷが、９０８におけるＢＵに対するＢＡをＵＥへ送信する。９１８乃至９２２では、ＰＣＲＦが、対応するＩＰフローの各ゲートウェイへと、トンネル情報およびＱｏＳ情報とともにＱｏＳルールを送信する。
【００５４】
図１０を参照して、主題とするイノベーションの態様にしたがうＨＡ／ＰＧＷフロー・ルーティング・アプローチを用いて、ＥＰＳに複数の気付アドレスを登録する方法の例が示される。１００２では、ＵＥは既にＡＧＷ１に関連付けられており、ゲートウェイ制御セッションが確立されており、（既に説明したように）第１のＩＰフロー（ＩＰ１）がＵＥのＨｏＡに関連付けられている。１００４では、ＵＥは、第２のＩＰフロー（ＩＰ２）に関してＡＧＷ２と関連しており、ＵＥがＡＡＡサーバによってベリファイされる。１００６では、ゲートウェイ制御セッションが、ＡＧＷ２とＰＣＲＦとの間で確立される。１００８では、ＵＥがＨＡ／ＰＧＷにＢＵを送信し、ＨＡ／ＰＧＷに対して、ＨｏＡをＩＰ２に関連付けるように指示する。さらに、このバインディングを（例えば、ＢＩＤ２のような）第２のバインディングとして識別するＢＩＤが指定される。１０１０では、（既に説明したように）ＨＡ／ＰＧＷが、ＰＣＲＦに、ＩＰ−ＣＡＮセッション変更を送る。１０１２では、ＰＣＲＦは、利用可能なラジオ・アクセス技術（ＲＡＴ）に関する情報およびＰＣＣルールのセットを含むＩＰ−ＣＡＮセッション変更についてのＡｃＫをＨＡ／ＰＧＷへ送信する。１０１４では、ＨＡ／ＰＧＷは、１００８におけるＢＵに応じたＢＡをＵＥへ送信する。
【００５５】
１０１６では、ＨＡ／ＰＧＷが、１０１２で提供されたＲＡＴ情報に少なくとも部分的に基づいてＩＰフロー・ルーティングを決定する。例えば、ＡＧＷ１は、ＬＴＥアクセス・ネットワークであり、ＡＧＷ２はＷＬＡＮアクセス・ネットワークでありうる。ＨＡ／ＰＧＷは、ＩＰフローの特性（例えば、帯域幅要件、ＱｏＳ要件など）や、利用可能なアクセス技術に基づいて、ルーティングを決定しうる。１０１８では、ＨＡ／ＰＧＷが、ルーティング情報を含むＩＰ−ＣＡＮセッション変更をＰＣＲＦへ送信し、ＰＣＲＦは、１０２０において、関連するＰＣＣとともにＡｃｋを送信する。ＩＰ−ＣＡＮセッション変更に含まれるルーティング情報に基づいて、ＰＣＲＦは、１０２２乃至１０２８において、ＱｏＳルールを、それぞれのフローに関するＨｏＡのフィルタ、トンネル情報、およびＱｏＳ情報とともにＡＧＷ１およびＡＧＷ２へ送信する。
【００５６】
図１１に強調するように、主題とするイノベーションの態様にしたがう複数の登録のためのシステムおよびフロー・ベースのモビリティの例が示されている。このシステムは、通信インフラストラクチャ１１０４（例えば、無線通信ネットワークなど）と通信するネットワーク・エンティティ１１０２を含んでいる。このネットワーク・エンティティ１１０２は、限定される訳ではないが、ＵＥ、ＰＣＲＦサーバ、あるいはＨＡ／ＰＧＷを含みうる。さらに、このネットワーク・エンティティ１１０２は、１または複数の利用可能なアクセス・ネットワークを経由した１または複数のＩＰフローのルーティングを決定するフロー・ルーティング構成要素１１０６を含んでいる。既に説明したように、アクセス・ネットワークは、例えばＬＴＥやＷＬＡＮなどのような実質的に任意のラジオ・アクセス技術を含みうる。フロー・ルーティング構成要素１１０６は、限定される訳ではないが、ＱｏＳ要件、帯域幅要件、利用可能なラジオ・アクセス技術、ネットワーク密集などを含む基準のセットに基づいて、ＩＰフロー・ルーティングを決定する。
【００５７】
フロー・ルーティング構成要素１１０６は、獲得構成要素１１０８、ポリシー構成要素１１１０、およびインタフェース構成要素１１１２を含んでいる。獲得構成要素１１０８は、利用可能なラジオ・アクセス技術、ネットワーク・パフォーマンス、サービス品質要件、帯域幅要件、および、ＩＰフローのルーティングを決定することに関連するその他任意のデータに関するデータの受信、収集、あるいは取得を行いうる。例えば、ネットワーク・エンティティ１１０２は、ＰＣＲＦサーバでありうる。ここで、獲得構成要素１１０８は、アクティブＩＰフロー、アクティブＱｏＳフロー、ＵＥのＨｏＡ、ＣｏＡ等に関するデータを取得する。
【００５８】
ポリシー構成要素１１１０は、フロー・ルーティング構成要素１１０６によって１または複数のＩＰフローのルーティングを決定する際に使用される１または複数のポリシーを保持する。例えば、第１のポリシーは、ＷＬＡＮが利用可能な場合は常に、（例えば、データ・ダウンロードのような）低い値の高ボリューム・トラフィックが、ＬＴＥネットワークからＷＬＡＮへと動的にルーティングされるべきであると命じうる。それに加えて、あるいは、その代わりに、ポリシー構成要素１１１０は、ポリシーを動的に決定するか、あるいは、通信インフラストラクチャ１１０４のどこかに保持されている関連するポリシーを発見しうる。フロー・ルーティング構成要素１１０６は、獲得構成要素１１０８を経由して取得したデータや、ポリシー構成要素１１１０からのポリシーを用いて、ベースとなるＩＰフロー・ルーティングを決定しうる。
【００５９】
また、インタフェース構成要素１１１２は、フロー・ルーティング構成要素１１０６を、事実上任意のオペレーティング・システムおよび／またはデータベース・システムへ統合するために、さまざまなアダプタ、コネクタ、チャネル、通信パス等を提供する。さらに、インタフェース構成要素１１１２は、フロー・ルーティング構成要素１１０６とのインタラクションのためのさまざまなアダプタ、コネクタ、チャネル、通信パス等を提供する。インタフェース構成要素１１１２は、フロー・ルーティング構成要素１１０６に組み込まれているが、そのような実装に限定されないことが認識されるべきである。例えば、インタフェース構成要素１１１２は、システム１１００に関するデータの受信または送信を行うスタンド・アロンの構成要素でありうる。特に、インタフェース構成要素１１１２は、システム１１００に関連付けられたデバイスに関連するあらゆるデータを受信しうる。
【００６０】
図１２は、主題とするイノベーションの態様にしたがうインターネット・プロトコル・フロー・ルーティング・システムのブロック図の例を示す。このシステム１２００は、モバイル・ノードが複数のアクセス・ネットワークへのアクセスを有するＩＰフローを決定するフロー・ルーティング構成要素１１０６を含む。フロー・ルーティング構成要素１１０６は、限定される訳ではないが、利用可能なアクセス技術、ネットワーク・パフォーマンス、ＱｏＳ要件、帯域幅要件などを含む複数の基準に基づいてルーティングを決定しうる。既に説明したように、フロー・ルーティング構成要素１１０６は、ＩＰフローのルーティングに関連する実質的に任意のデータを取得する獲得構成要素１１０８と、ルーティングの決定の際に、１または複数のポリシーの実施を容易にするポリシー構成要素１１１０と、フロー・ルーティング構成要素１１０６を任意の大部分の通信システムに統合することを可能にするインタフェース構成要素１１１２とを含む。
【００６１】
システム１２００はさらに、フロー・ルーティング構成要素１２０６に動作可能に接続されたメモリ１２０２を備えうる。このメモリ１２０２は、取得したデータやポリシー等、あるいは、取得したデータ、ポリシー、およびフロー・ルーティングを容易にすることに関連するその他任意の適切なほとんどの情報を格納する。プロセッサ１２０４は、コンテンツの格納および／または通信等を容易にするために、フロー・ルーティング構成要素１２０６（および／またはメモリ１２０２）に動作可能に接続されうる。プロセッサ１２０４は、ルーティングを実施すること、データまたはポリシーを分析すること、あるいはポリシーを設定することに特化されたプロセッサであるか、システム１２００の１または複数の構成要素を制御するプロセッサであるか、および／または、ポリシーの実施、データまたはポリシーの分析、あるいはポリシーの設定、およびシステム１２００の１または複数の構成要素の制御を行うプロセッサでありうることが認識されるべきである。
【００６２】
図１３は、主題とするイノベーションにしたがって１または複数の機能の自動化を容易にする人工知能（ＡＩ）構成要素１３０２を適用するシステム１３００を例示する。主題とするイノベーションは（例えば、推論することに関して）、そのさまざまな態様を実行するために、さまざまなＡＩベースのスキームを適用しうる。例えば、動的にＩＰフローをルーティングする処理が、自動クラシファイヤ・システムおよびプロセスによって容易とされうる。
【００６３】
本明細書で使用されるように、用語「推論」は、一般に、イベントおよび／またはデータによって取得された発見のセットからの、システム、環境、および／または、ユーザの状態に関する推理または推論の処理を称する。推論は、特定のコンテキストまたは動作を特定するために適用されるか、あるいは、例えば状態にわたる確率分布を生成しうる。推論は、確率論的、すなわち、データおよびイベントの考慮に基づく当該状態にわたる確率分布の計算でありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。さらに、推論は、論理モデルまたはルールに基づきうるので、構成要素またはデータの間の関係が、データの分析およびそこから得られる結論を引き出すことによって決定される。例えば、１人のユーザがネットワークを介して、他のユーザのサブセットとインタラクトすることを観察することによって、これらユーザのサブセットが、まったくあるいは稀にしかインタラクトしない他の複数のユーザではなく、この１人のユーザについて興味のある所望のソーシャル・ネットワークに属していることが判定または推論されうる。
【００６４】
例えば、異なる独立パターンを提供するナイーブＢａｙｅｓ、Ｂａｙｅｓｉａｎネットワーク、判定ツリー、ニューラル・ネットワーク、ファジー論理モデル、および確率論的分類モデルを含む指示されたモデル分類アプローチおよび指示されていないモデル分類アプローチが適用されうる。さらに本明細書で使用される分類はまた、優先度モデルを開発するために利用される統計的な回帰をも含む。
【００６５】
主題とする仕様から容易に認識されるだろうが、主題とするイノベーションは、（例えば、一般的な学習データによって）明示的に学習されているのみならず、（例えば、ユーザの挙動を観察したり、付帯的な情報を受信することによって）暗黙的に学習されうる。したがって、クラシファイヤは、限定される訳ではないが、予め定めた基準にしたがって、以前に推論されたスキーマをいつ更新または改良するか、（例えば、金融対非金融、個人対非個人のように）処理されているデータの種類に基づいて推論アルゴリズムに関する基準をいつ厳しくするか、および、厳しい基準管理を何日の何時（例えば、システム・パフォーマンスがあまりインパクトを受けない場合には、夕方）に実行するか、を判定することを含む多くの機能を自動的に学習し実行するために使用されうる。
【００６６】
図１４を参照して、無線通信ネットワークにおいて、インターネット・プロトコル・フローをルーティングすることを容易にするシステム１４００が図示される。例えば、システム１４００は、モバイル・デバイス、ホーム・エージェント／ｐ−ゲートウェイ、ポリシーおよび課金ルール機能サーバ等の中に少なくとも部分的に存在しうる。システム１４００は、プロセッサ、ソフトウェア、またはそれらの組み合わせ（例えば、ファームウェア）によって実現される機能を表す機能ブロックでありうる機能ブロックを含むものとして示されることが認識されるべきである。システム１４００は、連携して動作しうる電子構成要素の論理グループ１４０２を含む。例えば、論理グループ１４０２は、無線通信ネットワークにおいて、ＩＰフローをルーティングすることに関連するネットワーク・データを獲得するための電子構成要素１４０４を含みうる。さらに、論理グループ１４０２は、獲得されたネットワーク・データに少なくとも部分的に基づいて、ルーティング・ポリシーを決定するための電子構成要素１４０６を備えうる。さらに、論理グループ１４０２は、無線通信ネットワークにおいて、１または複数のＩＰフローを動的にルーティングするための電子構成要素１４０８を含みうる。さらに、システム１４００は、電子構成要素１４０４、１４０６、１４０８に関連付けられた機能を実行するための命令群を保持するメモリ１４１０を含みうる。メモリ１４１０の外部にあるとして示されているが、電子構成要素１４０４、１４０６、１４０８のうちの１または複数は、メモリ１４１０内に存在しうることが理解されるべきである。
【００６７】
本明細書で開示された実施形態に関連して記述されたさまざまな例示的なロジック、論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロ・プロセッサを用いることが可能であるが、代わりに、従来技術によるプロセッサ、コントローラ、マイクロ・コントローラ、あるいは状態機器を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成である計算デバイスの組み合わせとして実現することも可能である。それに加えて、少なくとも１つのプロセッサは、上述したステップおよび／または動作のうちの１または複数を実行するように動作可能な１または複数のモジュールを備えうる。
【００６８】
さらに、本明細書に開示された態様に関連して記載された方法またはアルゴリズムからなるステップおよび／または動作は、ハードウェア内に直接的に組み込まれるか、プロセッサによって実行されるソフトウェア・モジュールによって組み込まれるか、これら２つの組み合わせに組み込まれうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは、当該技術で周知のその他任意の形態の記憶媒体内に存在しうる。典型的な記憶媒体は、プロセッサに結合されており、これによって、プロセッサは、記憶媒体との間で情報を読み書きできるようになる。あるいは、この記憶媒体は、プロセッサに統合されうる。さらに、ある態様では、プロセッサと記憶媒体が、ＡＳＩＣ内に存在しうる。さらに、ＡＳＩＣは、ユーザ端末に存在することができる。あるいはプロセッサと記憶媒体とは、ユーザ端末内のディスクリート部品として存在することができる。さらに、いくつかの態様では、方法またはアルゴリズムのステップおよび／または動作は、機械読取可能媒体および／またはコンピュータ読取可能媒体上の１または任意の組み合わせ、または、コードおよび／または命令群のセットとして存在する。これらは、コンピュータ・プログラム製品に組み込まれうる。
【００６９】
１または複数の態様では、説明された機能が、ハードウェア、ソフトウェア、ファームウェア、またはこれらの任意の組み合わせで実現されうる。ソフトウェアで実現される場合、これら機能はコンピュータ読取可能媒体に格納されうるか、あるいは、コンピュータ読取可能媒体上の１または複数の命令群またはコードとして送信されうる。コンピュータ読取可能媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされる利用可能な任意の媒体でありうる。例として、限定することなく、そのようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるｄｉｓｋおよびｄｉｓｃは、コンパクト・ディスク（ｄｉｓｃ）（ＣＤ）、レーザ・ディスク（ｄｉｓｃ）、光ディスク（ｄｉｓｃ）、デジタル多目的ディスク（ｄｉｓｃ）（ＤＶＤ）、フロッピー（登録商標）ディスク（ｄｉｓｋ）、およびブルーレイ・ディスク（ｄｉｓｃ）を含む。通常、ｄｉｓｋは、データを磁気的に再生し、ｄｉｓｃは、レーザを用いて光学的にデータを再生する。
【００７０】
上記の組み合わせもまた、コンピュータ読取可能媒体の範囲内に含まれるべきである。
【００７１】
前述した開示は、例示的な態様および／または実施形態を開示しているが、さまざまな変更および修正が、特許請求の範囲で定義されたような説明された態様および／または実施形態の範囲から逸脱することなくなされうることが注目されるべきである。さらに、説明された態様および／または実施形態の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
【図１】
2014030221.tif 000003
【図２】
2014030221.tif 000004
【図３】
2014030221.tif 000005
【図４】
2014030221.tif 000006
【図５】
2014030221.tif 000007
【図６】
2014030221.tif 000008
【図７】
2014030221.tif 000009
【図８】
2014030221.tif 000010
【図９】
2014030221.tif 000011
【図１０】
2014030221.tif 000012
【図１１】
2014030221.tif 000013
【図１２】
2014030221.tif 000014
【図１３】
2014030221.tif 000015
【図１４】
2014030221.tif 000016
【手続補正書】
【提出日】平成25年10月9日(2013.10.9)
【手続補正１】
【補正対象書類名】特許請求の範囲
【補正対象項目名】全文
【補正方法】変更
【補正の内容】
【特許請求の範囲】
【請求項１】
通信ネットワークにおけるインターネット・プロトコル・フローのルーティングのための方法であって、
ネットワーク・データのセットを取得することと、
前記ネットワーク・データのセットに少なくとも部分的に基づいて、モバイル無線通信ネットワークと無線ローカル・エリア・ネットワークとを含む複数のアクセス・ネットワークのうちのどれがインターネット・プロトコル・フローをルーティングするために使用されるべきかを示す少なくとも１つのポリシーを決定することと、ここで、モバイル端末は、前記複数のアクセス・ネットワークに同時に接続することができる、
前記ネットワーク・データおよび前記少なくとも１つのポリシーに少なくとも部分的に基づいて、少なくとも１つのアクセス・ネットワークを介した複数のインターネット・プロトコル・フローのためのルーティングを決定することと、
前記モバイル端末が複数のアクセス・ネットワークに関連付けられようとしていることに応答して、前記複数のインターネット・プロトコル・フローのためのフィルタを提供することと
を備える方法。
【請求項２】
前記ネットワーク・データのセットを取得することは、サービス品質要件、利用可能なラジオ・アクセス技術、帯域幅要件、アクティブなインターネット・プロトコル・フロー、アクティブなサービス品質ルール、ホーム・アドレス、あるいは気付アドレスのうちの少なくとも１つを取得することを含む請求項１に記載の方法。
【請求項３】
前記ネットワーク・データのセットを取得すること、前記ルーティングするために少なくとも１つのポリシーを決定すること、および、前記ルーティングを決定することは、前記モバイル端末、ホーム・エージェント機能、または、ポリシーおよびルール課金機能サーバのうちの少なくとも１つを介して達成される、請求項１に記載の方法。
【請求項４】
前記ホーム・エージェントを介したダウンリンク・ルーティング、または、前記モバイル端末を介したアップリンク・ルーティングのうちの少なくとも１つを実施することをさらに備える請求項３に記載の方法。
【請求項５】
前記フローのルーティングを実施するために、フィルタのセットを用いて前記インターネット・プロトコル・フローをフィルタすることをさらに備える請求項４に記載の方法。
【請求項６】
前記１または複数のインターネット・プロトコル・フローの前記ルーティングに少なくとも部分的に基づいて、少なくとも１つのアクセス・ゲートウェイのためのポリシーおよび課金ルールを決定することをさらに備える請求項１に記載の方法。
【請求項７】
ホーム・アドレスか、または、ホーム・アドレスおよび関連付けられた気付アドレスか、の少なくとも一方へ、少なくとも１つのインターネット・プロトコル・フローをバインディングすることをさらに備える請求項１に記載の方法。
【請求項８】
おのおののバインディングのためのバインディング識別子を生成することをさらに備える請求項７に記載の方法。
【請求項９】
おのおののインターネット・プロトコル・フローのためのフロー識別子を生成することをさらに備える請求項１に記載の方法。
【請求項１０】
前記１または複数のフローの前記ルーティング、または、フロー識別子のうちの少なくとも１つに基づいて、インターネット・プロトコル接続アクセス・ネットワーク・セッションを変更することをさらに備える請求項８に記載の方法。
【請求項１１】
回路を備える、通信ネットワークにおいてインターネット・プロトコル・フローをルーティングするように構成された少なくとも１つのプロセッサであって、前記回路は、
ネットワーク・データのセットを取得し、ここで、前記ネットワーク・データは、サービス品質要件、利用可能なラジオ・アクセス技術、帯域幅要件、アクティブなインターネット・プロトコル・フロー、アクティブなサービス品質ルール、ホーム・アドレス、または気付アドレスのうちの少なくとも１つを含む、
前記ネットワーク・データに少なくとも部分的に基づいて、モバイル無線通信ネットワークと無線ローカル・エリア・ネットワークとを含む複数のアクセス・ネットワークのうちのどれがインターネット・プロトコル・フローのルーティングのために使用されるべきかを示す１または複数のポリシーを、セットから選択するか、または、動的に決定し、ここで、モバイル・デバイスは、前記複数のアクセス・ネットワークに同時に接続することができる、
前記モバイル・デバイス、ホーム・エージェント機能、または、ポリシーおよびルール課金機能サーバのうちの少なくとも１つを介したインターネット・プロトコル・フローのルーティングのセットを決定し、
前記モバイル・デバイスが複数のアクセス・ネットワークに関連付けられようとしていることに応答して、複数のインターネット・プロトコル・フローのためのフィルタを提供する
ように構成される、少なくとも１つのプロセッサ。
【請求項１２】
ネットワーク・データのセットを取得する手順であって、ここで、前記ネットワーク・データは、サービス品質要件、利用可能なラジオ・アクセス技術、帯域幅要件、アクティブなインターネット・プロトコル・フロー、アクティブなサービス品質ルール、ホーム・アドレス、または気付アドレスのうちの少なくとも１つを含む、手順と、
前記ネットワーク・データに少なくとも部分的に基づいて、モバイル無線通信ネットワークと無線ローカル・エリア・ネットワークとを含む複数のアクセス・ネットワークのうちのどれがインターネット・プロトコル・フローのルーティングのために使用されるべきかを示す１または複数のポリシーを、動的に決定すること、および、選択すること、のうちの少なくとも１つを実行する手順と、ここで、モバイル・デバイスは、前記複数のアクセス・ネットワークに同時に接続することができる、
前記モバイル・デバイス、ホーム・エージェント機能、または、ポリシーおよびルール課金機能サーバのうちの少なくとも１つを介したインターネット・プロトコル・フローのルーティングのセットを決定する手順と、
前記モバイル・デバイスが複数のアクセス・ネットワークに関連付けられようとしていることに応答して、複数のインターネット・プロトコル・フローのためのフィルタを提供する手順と
をコンピュータに実行させるためのプログラム。
【請求項１３】
装置であって、
ネットワーク・データのセットを収集する手段と、
前記ネットワーク・データに少なくとも部分的に基づいて、モバイル無線通信ネットワークと無線ローカル・エリア・ネットワークとを含む複数のアクセス・ネットワークのうちのどれがインターネット・プロトコル・フローのルーティングのために使用されるべきかを示す１または複数のポリシーを、セットから選択すること、または、動的に決定することのうちの少なくとも１つを行う手段と、ここで、モバイル・デバイスは、前記複数のアクセス・ネットワークに同時に接続することができる、
前記モバイル・デバイス、ホーム・エージェント機能、または、ポリシーおよびルール課金機能サーバのうちの少なくとも１つを介したインターネット・プロトコル・フローのルーティングのセットを決定する手段と、
前記モバイル・デバイスが複数のアクセス・ネットワークに関連付けられようとしていることに応答して、複数のインターネット・プロトコル・フローのためのフィルタを提供するための手段と
を備える装置。
【請求項１４】
前記ネットワーク・データのセットは、利用可能なサービス品質リソース、利用可能なラジオ・アクセス技術、帯域幅要件、アクティブなインターネット・プロトコル・フロー、アクティブなサービス品質ルール、ホーム・アドレス、または気付アドレスのうちの少なくとも１つを含む請求項１３に記載の装置。
【請求項１５】
前記モバイル・デバイスまたはホーム・エージェントのうちの少なくとも１つを介して前記決定されたルーティングのセットを実施する手段をさらに備える請求項１３に記載の装置。
【請求項１６】
ホーム・エージェント、前記モバイル・デバイス、または、ポリシーおよび課金ルール機能サーバのうちの少なくとも１つを含む請求項１３に記載の装置。
【請求項１７】
前記モバイル・デバイスを介したアップリンク・フローのための前記フローのルーティングを実施するための、フィルタのセットを決定する手段をさらに備える請求項１６に記載の装置。
【請求項１８】
前記１または複数のインターネット・プロトコル・フローの前記ルーティングに少なくとも部分的に基づいて、ポリシーおよび課金ルールのセットを定義し、前記ポリシーおよび課金ルールを、少なくとも１つのアクセス・ゲートウェイへ通信する手段をさらに備える請求項１３に記載の装置。
【請求項１９】
ホーム・アドレスか、または、ホーム・アドレスおよび関連付けられた気付アドレスか、の少なくとも一方へ、少なくとも１つのインターネット・プロトコル・フローをバインディングする手段をさらに備える請求項１３に記載の装置。
【請求項２０】
おのおののバインディングのためのバインディング識別子を決定する手段をさらに備える請求項１９に記載の装置。
【請求項２１】
おのおののインターネット・プロトコル・フローのためのフロー識別子を決定する手段をさらに備える請求項１３に記載の装置。
【請求項２２】
前記１または複数のフローの前記ルーティング、または、フロー識別子のうちの少なくとも１つに基づいて、インターネット・プロトコル接続アクセス・ネットワーク・セッションを変更する手段をさらに備える請求項１３に記載の装置。
【請求項２３】
人工知能によって、前記装置の１または複数の機能を自動化する手段をさらに備える請求項１３に記載の装置。
【請求項２４】
回路を備える装置であって、前記回路は、
ネットワーク・データのセットに基づいて、１または複数のアクセス・ネットワーク・エントリ・ポイントを介した複数のインターネット・プロトコル・フローのためのルーティングを決定し、
前記ネットワーク・データに少なくとも部分的に基づいて、モバイル無線通信ネットワークと無線ローカル・エリア・ネットワークとを含む複数のアクセス・ネットワークのうちのどれがインターネット・プロトコル・フローのルーティングのために使用されるべきかを示す１または複数のポリシーを、ポリシーのセットから選択すること、または、動的に決定することのうちの少なくとも１つを行い、ここで、モバイル・デバイスは、前記複数のアクセス・ネットワークに同時に接続することができる、
前記モバイル・デバイスが複数のアクセス・ネットワークに関連付けられようとしていることに応答して、複数のインターネット・プロトコル・フローのためのフィルタを提供する
ように構成される、装置。
【請求項２５】
前記ネットワーク・データのセットは、利用可能なサービス品質リソースのセットを含む請求項２４に記載の装置。
【請求項２６】
前記回路の少なくとも一部は、通信インフラストラクチャと通信するネットワーク・エンティティに含まれ、前記ネットワーク・エンティティは、前記モバイル・デバイス、ホーム・エージェント／ｐ−ゲートウェイ、あるいは、ポリシーおよび課金ルール機能サーバのうちの少なくとも１つである請求項２４に記載の装置。
【請求項２７】
前記フローのルーティングを実現するために適用されるフィルタのセットをさらに備える請求項２６に記載の装置。
【請求項２８】
アップリンク通信のためのルーティングを実施する前記モバイル・デバイス、または、ダウンリンク通信のためのルーティングを実施するホーム・エージェント、のうちの少なくとも１つをさらに備える請求項２４に記載の装置。
【請求項２９】
前記ネットワーク・データは、サービス品質要件、利用可能なラジオ・アクセス技術、帯域幅要件、アクティブなインターネット・プロトコル・フロー、アクティブなサービス品質ルール、ホーム・アドレス、または気付アドレスのうちの少なくとも１つを含む請求項２４に記載の装置。
【請求項３０】
前記１または複数のインターネット・プロトコル・フローの前記ルーティングに少なくとも部分的に基づいて、少なくとも１つのアクセス・ゲートウェイのためのポリシーおよび課金ルールを生成するポリシー課金およびルール機能サーバをさらに備える請求項２１に記載の装置。
【請求項３１】
前記モバイル・デバイスを備え、前記モバイル・デバイスは、ポリシー課金およびルール機能サーバにバインディング・アップデートを送信し、前記バインディング・アップデートは、少なくとも１つのインターネット・プロトコル・フローを、ホーム・アドレスか、または、ホーム・アドレスおよび関連付けられた気付アドレスか、の少なくとも一方に関連付ける、請求項２４に記載の装置。
【請求項３２】
前記バインディング・アップデートは、おのおのの関連付けのためのバインディング識別子を含む請求項３１に記載の装置。
【請求項３３】
前記モバイル・デバイスは、おのおののインターネット・プロトコル・フローのためのフロー識別子を決定する請求項３１に記載の装置。
【請求項３４】
前記１または複数のフローの前記ルーティング、あるいはフロー識別子のうちの少なくとも１つに基づいて、インターネット・プロトコル接続アクセス・ネットワーク・セッションを変更することをさらに備える請求項３１に記載の装置。
【手続補正２】
【補正対象書類名】明細書
【補正対象項目名】００７１
【補正方法】変更
【補正の内容】
【００７１】
前述した開示は、例示的な態様および／または実施形態を開示しているが、さまざまな変更および修正が、特許請求の範囲で定義されたような説明された態様および／または実施形態の範囲から逸脱することなくなされうることが注目されるべきである。さらに、説明された態様および／または実施形態の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
以下に、本願出願の当初の特許請求の範囲に記載された発明を付記する。
［Ｃ１］  通信ネットワークにおけるインターネット・プロトコル・フロー・ルーティングのための方法であって、
ネットワーク・データのセットを取得することと、
前記ネットワーク・データのセットに少なくとも部分的に基づいてインターネット・プロトコル・フローをルーティングするための少なくとも１つのポリシーを決定することと、
前記ネットワーク・データおよびポリシーに少なくとも部分的に基づいて、少なくとも１つのアクセス・ネットワークを介した少なくとも１つのインターネット・プロトコル・フローのためのルーティングを決定することと
を備える方法。
［Ｃ２］  前記ネットワーク・データのセットを取得することは、サービス品質要件、利用可能なラジオ・アクセス技術、帯域幅要件、アクティブなインターネット・プロトコル・フロー、アクティブなサービス品質ルール、ホーム・アドレス、あるいは気付アドレスのうちの少なくとも１つを取得することを含むＣ１に記載の方法。
［Ｃ３］  前記ネットワーク・データのセットを取得すること、前記ルーティングするためのポリシーを決定すること、および、前記ルーティングを決定することは、モバイル端末、ホーム・エージェント機能、または、ポリシーおよびルール課金機能サーバのうちの少なくとも１つを経由して達成されるＣ１に記載の方法。
［Ｃ４］  前記ホーム・エージェントを経由したダウンリンク・ルーティング、または、前記モバイル端末を経由したアップリンク・ルーティングのうちの少なくとも１つを実施することをさらに備えるＣ３に記載の方法。
［Ｃ５］  前記フローをルーティングすることを実施するために、フィルタのセットを用いて前記インターネット・プロトコル・フローをフィルタすることをさらに備えるＣ４に記載の方法。
［Ｃ６］  １または複数のインターネット・プロトコル・フローのルーティングに少なくとも部分的に基づいて、少なくとも１つのアクセス・ゲートウェイのためのポリシーおよび課金ルールを決定することをさらに備えるＣ１に記載の方法。
［Ｃ７］  ホーム・アドレスと、ホーム・アドレスおよび関連付けられた気付アドレスとのうちの少なくとも１つへ、少なくとも１つのインターネット・プロトコル・フローをバインディングすることをさらに備えるＣ１に記載の方法。
［Ｃ８］  おのおののバインディングのためのバインディング識別子を生成することをさらに備えるＣ７に記載の方法。
［Ｃ９］  おのおののインターネット・プロトコル・フローのためのフロー識別子を生成することをさらに備えるＣ１に記載の方法。
［Ｃ１０］  １または複数のインターネット・プロトコル・フローのルーティング、または、フロー識別子のうちの少なくとも１つに基づいて、インターネット・プロトコル接続アクセス・ネットワーク・セッションを変更することをさらに備えるＣ８に記載の方法。
［Ｃ１１］  通信ネットワークにおいて、インターネット・プロトコル・フローをルーティングするように構成された少なくとも１つのプロセッサであって、
ネットワーク・データのセットを取得する第１のモジュールであって、ここで、前記ネットワーク・データは、サービス品質要件、利用可能なラジオ・アクセス技術、帯域幅要件、アクティブなインターネット・プロトコル・フロー、アクティブなサービス品質ルール、ホーム・アドレス、または気付アドレスのうちの少なくとも１つを含む、第１のモジュールと、
前記ネットワーク・データに少なくとも部分的に基づいて、インターネット・プロトコル・フローのルーティングのための１または複数のポリシーを、セットから選択すること、または、動的に決定することのうちの少なくとも１つを行う第２のモジュールと、
モバイル・デバイス、ホーム・エージェント機能、または、ポリシーおよびルール課金機能サーバのうちの少なくとも１つを経由したインターネット・プロトコル・フローのルーティングのセットを決定する第３のモジュールと
を備える少なくとも１つのプロセッサ。
［Ｃ１２］  コンピュータ読取可能媒体を備えるコンピュータ・プログラム製品であって、
前記コンピュータ読取可能媒体は、
コンピュータに対して、ネットワーク・データのセットを取得させるための第１のコード・セットであって、ここで、前記ネットワーク・データは、サービス品質要件、利用可能なラジオ・アクセス技術、帯域幅要件、アクティブなインターネット・プロトコル・フロー、アクティブなサービス品質ルール、ホーム・アドレス、または気付アドレスのうちの少なくとも１つを含む、第１のコード・セットと、
前記コンピュータに対して、前記ネットワーク・データに少なくとも部分的に基づいて、インターネット・プロトコル・フローのルーティングのための１または複数のポリシーを、動的に決定すること、または、選択すること、のうちの少なくとも１つをさせるための第２のコード・セットと、
前記コンピュータに対して、モバイル・デバイス、ホーム・エージェント機能、または、ポリシーおよびルール課金機能サーバのうちの少なくとも１つを経由したインターネット・プロトコル・フローのルーティングのセットを決定させるための第３のコード・セットと
を備えるコンピュータ・プログラム製品。
［Ｃ１３］  装置であって、
ネットワーク・データのセットを収集する手段と、
前記ネットワーク・データに少なくとも部分的に基づいて、インターネット・プロトコル・フローのルーティングのための１または複数のポリシーを、セットから選択すること、または、動的に決定することのうちの少なくとも１つを行う手段と、
モバイル・デバイス、ホーム・エージェント機能、または、ポリシーおよびルール課金機能サーバのうちの少なくとも１つを経由したインターネット・プロトコル・フローのルーティングのセットを決定する手段と
を備える装置。
［Ｃ１４］  前記ネットワーク・データは、利用可能なサービス品質リソース、利用可能なラジオ・アクセス技術、帯域幅要件、アクティブなインターネット・プロトコル・フロー、アクティブなサービス品質ルール、ホーム・アドレス、または気付アドレスのうちの少なくとも１つを含むＣ１３に記載の装置。
［Ｃ１５］  モバイル・デバイスまたはホーム・エージェントのうちの少なくとも１つを経由した、前記決定されたルーティングのセットを実施する手段をさらに備えるＣ１３に記載の装置。
［Ｃ１６］  ホーム・エージェント、モバイル・デバイス、または、ポリシーおよび課金ルール機能サーバのうちの少なくとも１つを含むＣ１３に記載の装置。
［Ｃ１７］  前記モバイル・デバイスを経由したアップリンク・フローのための前記ルーティングを実施するための、フィルタのセットを決定する手段をさらに備えるＣ１６に記載の装置。
［Ｃ１８］  １または複数のインターネット・プロトコル・フローのルーティングに少なくとも部分的に基づいて、ポリシーおよび課金ルールのセットを定義し、前記ポリシーおよび課金ルールを、少なくとも１つのアクセス・ゲートウェイへ通信する手段をさらに備えるＣ１３に記載の装置。
［Ｃ１９］  ホーム・アドレスと、ホーム・アドレスおよび関連付けられた気付アドレスとのうちの少なくとも１つへ、少なくとも１つのインターネット・プロトコル・フローをバインディングする手段をさらに備えるＣ１３に記載の装置。
［Ｃ２０］  おのおののバインディングのためのバインディング識別子を生成する手段をさらに備えるＣ１９に記載の装置。
［Ｃ２１］  おのおののインターネット・プロトコル・フローのためのフロー識別子を生成する手段をさらに備えるＣ１３に記載の装置。
［Ｃ２２］  １または複数のフローのインターネット・プロトコル・ルーティング、または、フロー識別子のうちの少なくとも１つに基づいて、インターネット・プロトコル接続アクセス・ネットワーク・セッションを変更する手段をさらに備えるＣ１３に記載の装置。
［Ｃ２３］  人工知能によって、前記装置の１または複数の機能を自動化する手段をさらに備えるＣ１３に記載の装置。
［Ｃ２４］  装置であって、
ネットワーク・データのセットに基づいて、１または複数のアクセス・ネットワーク・エントリ・ポイントを経由した１または複数のインターネット・プロトコル・フローのためのルーティングを決定するフロー・ルーティング構成要素と、
ネットワーク・データのうちの１または複数の部分を取得する獲得構成要素と、
前記ネットワーク・データに少なくとも部分的に基づいて、インターネット・プロトコル・フローのルーティングのための１または複数のポリシーを、ポリシーのセットから選択すること、または、動的に決定することのうちの少なくとも１つを行うポリシー構成要素と
を備える装置。
［Ｃ２５］  前記ネットワーク・データのセットは、利用可能なサービス品質リソースのセットを含むＣ２４に記載の装置。
［Ｃ２６］  前記獲得構成要素またはポリシー構成要素のうちの少なくとも１つが、前記フロー・ルーティング構成要素に含まれるＣ２４に記載の装置。
［Ｃ２７］  前記フロー・ルーティング構成要素は、通信インフラストラクチャと通信するネットワーク・エンティティに含まれ、
前記ネットワーク・エンティティは、モバイル・デバイス、ホーム・エージェント／ｐ−ゲートウェイ、あるいは、ポリシーおよび課金ルール機能サーバのうちの少なくとも１つであるＣ２４に記載の装置。
［Ｃ２８］  前記フロー・ルーティング構成要素がモバイル・デバイスに含まれる場合、フロー・ルーティングを実現するために適用されるフィルタのセットをさらに備えるＣ２７に記載の装置。
［Ｃ２９］  前記フロー・ルーティング構成要素によって決定されたルーティングを、アップリンク通信のために実施するモバイル・デバイス、または、前記フロー・ルーティング構成要素によって決定されたルーティングを、ダウンリンク通信のために実施するホーム・エージェント、
のうちの少なくとも１つをさらに備えるＣ２４に記載の装置。
［Ｃ３０］  前記ネットワーク・データは、サービス品質要件、利用可能なラジオ・アクセス技術、帯域幅要件、アクティブなインターネット・プロトコル・フロー、アクティブなサービス品質ルール、ホーム・アドレス、または気付アドレスのうちの少なくとも１つを含むＣ２４に記載の装置。
［Ｃ３１］  １または複数のインターネット・プロトコル・フローのルーティングに少なくとも部分的に基づいて、少なくとも１つのアクセス・ゲートウェイのためのポリシーおよび課金ルールを生成するポリシー課金およびルール機能サーバをさらに備えるＣ２１に記載の装置。
［Ｃ３２］  ポリシー課金およびルール機能サーバへバインディング・アップデートを送信するモバイル・デバイスをさらに備え、
前記バインディング・アップデートは、少なくとも１つのインターネット・プロトコル・フローを、ホーム・アドレスと、ホーム・アドレスおよび関連付けられた気付アドレスとのうちの少なくとも１つに関連付けるＣ２４に記載の装置。
［Ｃ３３］  前記バインディング・アップデートは、おのおのの関連付けのためのバインディング識別子を含むＣ３２に記載の装置。
［Ｃ３４］  前記モバイル・デバイスは、おのおののインターネット・プロトコル・フローのためのフロー識別子を決定するＣ３２に記載の装置。
［Ｃ３５］  １または複数のフローのルーティング、あるいは前記フロー識別子のうちの少なくとも１つに基づいて、インターネット・プロトコル接続アクセス・ネットワーク・セッションを変更することをさらに備えるＣ３２に記載の装置。
【外国語明細書】
2014030221000001.pdf